(57)【要約】【課題】トイレや洗面所等の閉所内で人が脳出血や心疾患等で倒れて救急事態が生じた場合に、その人が意識を失っていたり身動きができず声も出せない状態になっていたりしても救急状態の発生を外部で確実に知ることがでるようにすることにある。【解決手段】人の存在を検出する赤外線センサ２と、人の動きを検出する焦電センサ３と、人に発声を検出するマイク４と、赤外線センサ２が人Ｐの存在を検出しておりかつ焦電センサ３が人Ｐの動きを検出しない場合に、人Ｐに発声および動作を求める音声を出力するスピーカ５と、スピーカ５が発声および動作を求める音声を出力した後にマイク４が人の発声を検出せずかつ焦電センサ３が人の動きを検出しない場合に、人Ｐに救急事態が発生したと判定して救急事態発生信号を出力するコントローラ６とを具えてなる、閉所救急事態検出システムである。【選択図】図１
2006350495.tif 000002
【特許請求の範囲】
【請求項１】
人の存在を検出する存在センサと、
人の動きを検出する動きセンサと、
人の発声を検出する発声センサと、
前記存在センサが人の存在を検出しておりかつ前記動きセンサが人の動きを検出しない場合に、前記人に発声および動作を求める音声を出力する音声出力手段と、
前記音声出力手段が発声および動作を求める音声を出力した後に前記発声センサが人の発声を検出せずかつ前記動きセンサが人の動きを検出しない場合に、前記人に救急事態が発生したと判定して救急事態発生信号を出力する救急事態発生検出手段と、
を具えてなる、閉所救急事態検出システム。
【請求項２】
前記存在センサは、光センサを含むことを特徴とする、請求項１記載の閉所救急事態検出システム。
【請求項３】
前記存在センサは、圧電マットを含むことを特徴とする、請求項１または２記載の閉所救急事態検出システム。
【請求項４】
前記動きセンサは、焦電センサを含むことを特徴とする、請求項１から３までの何れか記載の閉所救急事態検出システム。
【請求項５】
前記救急事態発生検出手段は、前記救急事態発生信号を電話回線を介して電話機に出力することを特徴とする、請求項１から４までの何れか記載の閉所救急事態検出システム。
【発明の詳細な説明】
【技術分野】
【０００１】
この発明は、トイレや洗面所等の閉所内で人が脳出血や心疾患等で倒れて救急事態が生じた場合に、その救急事態の発生を検出して外部に知らせるためのシステムに関するものである。
【背景技術】
【０００２】
従来、例えば病院や高齢者介護施設等では、トイレや洗面所等の閉所内にいる人の健康状態が悪くなった場合に、その人がボタン等を操作することでナースステーションや警備室等に救急事態が生じたことを連絡するシステムが設けられている場合がある。
【発明の開示】
【発明が解決しようとする課題】
【０００３】
しかしながら、上述した従来のシステムでは、トイレや洗面所等の閉所内で人が脳出血や心疾患等で倒れて救急事態が生じた場合に、その人が意識を失っていたり、身動きができず声も出せない状態になっていたりすると、上記ボタン等の操作ができず、その結果救急状態の発生を外部で知ることができないという問題があった。
【課題を解決するための手段】
【０００４】
この発明は、上記課題を有利に解決することを目的とするものであり、この発明の閉所救急事態検出システムは、人の存在を検出する存在センサと、人の動きを検出する動きセンサと、人の発声を検出する発声センサと、前記存在センサが人の存在を検出しておりかつ前記動きセンサが人の動きを検出しない場合に、前記人に発声および動作を求める音声を出力する音声出力手段と、前記音声出力手段が発声および動作を求める音声を出力した後に前記発声センサが人の発声を検出せずかつ前記動きセンサが人の動きを検出しない場合に、前記人に救急事態が発生したと判定して救急事態発生信号を出力する救急事態発生検出手段と、を具えてなるものである。
【発明の効果】
【０００５】
かかる閉所救急事態検出システムにあっては、存在センサが人の存在を検出しておりかつ動きセンサが人の動きを検出しない場合に、音声出力手段が、その人に発声および動作を求める音声を出力し、その出力後に発声センサが人の発声を検出せずかつ動きセンサが人の動きを検出しない場合に、救急事態発生検出手段が、その人に救急事態が発生したと判定して救急事態発生信号を出力する。
【０００６】
従って、この発明の閉所救急事態検出システムによれば、病院や高齢者介護施設等のトイレや洗面所等の閉所内で人が脳出血や心疾患等になって救急事態が生じた場合に、その人が意識を失っていたり、身動きができず声も出せない状態になっていたりしても、救急状態の発生を検出して救急事態発生信号を出力するので、かかる閉所内での緊急事態の発生を外部の人が確実に知って、救命作業等の適切な対処を行うことができる。
【０００７】
なお、この発明においては、前記存在センサは、投光器からの赤外線等の光の人による遮断を検出する光センサを含んでも良く、また人の体重による圧力を検出する圧電マットを含んでも良い。
【０００８】
また、この発明においては、前記動きセンサは、静電容量型接近センサや超音波式距離計を含んでも良いが、人の動きによる赤外線の変化を検出する焦電センサを含んでいても良い。
【０００９】
さらに、この発明においては、前記救急事態発生検出手段は、前記救急事態発生信号を電話回線を介して電話機に出力するものでも良く、このようにすれば、外部の人が、固定電話機や携帯電話機等によって、閉所内の人の救急事態の発生をいつでもどこにいても知ることができる。
【発明を実施するための最良の形態】
【００１０】
以下、本発明の実施の形態を実施例によって、図面に基づき詳細に説明する。ここに、図１は、この発明の閉所救急事態検出システムの一実施例の構成を示す構成図、図２は、その実施例の閉所救急事態検出システムの各センサの配置状態を例示する説明図、そして図３は、上記実施例の閉所救急事態検出システムのコントローラの作動手順を示すフローチャートであり、図中符号１は、この実施例の閉所救急事態検出システムを示す。
【００１１】
この実施例の閉所救急事態検出システム１は、図１に示すように、例えば病院や高齢者介護施設等の閉所としてのトイレに設けられ、そのトイレ内で便器Ｂに座って用足しをしていた人Ｐが脳出血や心疾患等になって救急事態が生じた場合にそれを検出して外部に知らせるもので、人の存在を検出する、存在センサとしての通常の赤外線センサ２と、人の動きを検出する、動きセンサとしての通常の焦電センサ３と、人の発声を検出する、発声センサとしての通常のマイク４と、赤外線センサ２が人Ｐの存在を検出しておりかつ焦電センサ３が人Ｐの動きを検出しない場合に人Ｐに発声および動作を求める音声を出力する、音声出力手段としての通常のスピーカ５と、そのスピーカ５が発声および動作を求める音声を出力した後にマイク４が人の発声を検出せずかつ焦電センサ３が人の動きを検出しない場合に、その人Ｐに救急事態が発生したと判定して救急事態発生信号を出力する、救急事態発生検出手段としてのコントローラ６とを具えている。
【００１２】
ここで、赤外線センサ２は、図２に示すように、トイレ内の例えば床付近に複数の赤外線投光器７と向かい合うように複数設けられて、人Ｐがトイレ内に入ると赤外線投光器７からの赤外線がその人Ｐの足等で遮られて赤外線の受光量が減るることで人Ｐの存在を検出してコントローラ６に送り、また焦電センサ３は、図２に示すように、トイレ内の例えば天井に設けられて、人Ｐがトイレ内に入るとその人Ｐからの赤外線の変化によりその人Ｐの動きを検出してコントローラに送る。
【００１３】
さらに、マイク４は、図２に示すように、トイレ内の例えばシンク８の上に、例えばスピーカ５と一緒に設けられて、トイレ内の人Ｐが発声した音声を入力し、その音声を電気信号に変換してコントローラ６に送り、またスピーカ５は、コントローラ６があらかじめメモリ内等に記憶した情報に基づき出力する、人Ｐに発声および動作を求める音声に対応する電気信号を受け取り、その電気信号を音声に変換して人Ｐに発声および動作を求める音声を出力する。
【００１４】
そしてコントローラ６は、例えば通常のマイクロコンピュータにより構成されて、図２に示すように、トイレ内の例えばシンク８の上の、例えばスピーカ５を収納するケース９内に収納されるとともに、前述した赤外線センサ２、焦電センサ３、マイク４およびスピーカ５を接続され、また図１に示すように、例えばそのケース９内に一緒に収納された送信機１０に接続され、さらに、例えば商用電源から電力を供給される図示しない電源回路に接続されている。
【００１５】
送信機１０は、例えば窓やドアの開閉を検出してその旨を電波で知らせる開閉センサ等の図示しない他のセキュリティセンサからの電波信号を受信する受信機１１と、その受信機がセキュリティセンサからの電波信号を受信した場合にその旨を無線電話回線を介して固定電話機や携帯電話機等に通報する無線電話機１２とを具える他のセキュリティシステム１３の上記受信機１１に、コントローラ６が出力する後述の救急事態発生信号を無線で送信し、その受信機１１が受信した救急事態発生信号は、セキュリティセンサからの電波信号を受信した場合と同様、無線電話機１２が、無線電話回線を介して固定電話機や携帯電話機等に通報する。
【００１６】
かかる実施例の閉所救急事態検出システム１において、コントローラ６は、あらかじめ与えられたプログラムに基づき、図３に示す如き手順で作動する。すなわちここでは、先ずステップＳ１で、赤外線センサ２によりトイレ内に人Ｐが存在するか否かを検知し、赤外線センサ２の出力信号からトイレ内に人Ｐが存在しないと判断される場合はステップＳ２からステップＳ１に戻り、一方、赤外線センサ２の出力信号からトイレ内に人Ｐが存在すると判断される場合はステップＳ２からステップＳ３に進む。
【００１７】
ステップＳ３では、焦電センサ３によりトイレ内に人Ｐに動きがあるか否かを検知し、焦電センサ３の出力信号からトイレ内の人Ｐに動きがあると判断される場合はステップＳ４からステップＳ１に戻り、一方、焦電センサ３の出力信号からトイレ内の人Ｐに動きがないと判断される場合はステップＳ４からステップＳ５に進んで、ステップＳ５で、人Ｐが存在しかつその人Ｐに動きがなかったため最初にこのステップＳ５に来てから所定時間が経過したか否かをコントローラ６内のソフトウェアタイマで判断し、あらかじめ設定された例えば１分等の所定時間が経過していなければステップＳ１に戻って上記検出を繰り返し、一方、人Ｐが存在しかつその人Ｐに動きがない状態で上記所定時間が経過していれば、救急事態発生の可能性があるためステップＳ５からステップＳ６へ進む。
【００１８】
ステップＳ６では、コントローラ６がスピーカ５により、人Ｐに発声および動作を求める音声を出力し、続くステップＳ７では、コントローラ６がマイク４により、トイレ内の人Ｐが音声を発生した場合にその音声を入力するとともに、焦電センサ３によりトイレ内に人Ｐに動きがあるか否かを検知する。
【００１９】
次いでここではステップＳ８で、ステップＳ６での人Ｐに発声および動作を求める音声の出力から先の所定時間と別途の所定時間が経過したか否かをコントローラ６内のソフトウェアタイマで判断し、あらかじめ設定された例えば１０秒等の所定時間が経過していなければステップＳ７に戻って上記音声入力および検出を繰り返し、一方、マイク４によりトイレ内の人Ｐの音声を入力するとともに焦電センサ３によりトイレ内に人Ｐに動きがあるか否かを検知しつつ上記所定時間が経過していればステップＳ８からステップＳ９へ進む。
【００２０】
ステップＳ９では、上記の人Ｐの発声した音声の入力またはその人Ｐの動きが有ったか否かを判断し、上記の人Ｐの発声した音声の入力またはその人Ｐの動きが有った場合には、その人Ｐに救急事態の発生はなかったと判定してステップＳ１へ戻る。なお、人Ｐの発声した音声の入力があったか否かは、例えば人の声に対応する周波数帯域の音をバンドパスフィルタを通して検出することで判別することができる。一方、上記の人Ｐの発声した音声の入力もその人Ｐの動きもなかった場合には、救急事態が発生したと判定してステップＳ１０へ進み、救急事態が発生した旨を送信機１０を介して上記他のセキュリティシステム１３の上記受信機１１に無線で通報し、そのセキュリティシステム１３は上述の如くしてこの実施例の閉所救急事態検出システムのユーザが指定した固定電話機や携帯電話機に、トイレ内での救急事態の発生を通報する。
【００２１】
従って、この実施例の閉所救急事態検出システム１によれば、病院や高齢者介護施設等のトイレ内で人が脳出血や心疾患等になって救急事態が生じた場合に、その人が意識を失っていたり、身動きができず声も出せない状態になっていたりしても、救急状態の発生を検出して救急事態発生信号を出力するので、かかるトイレ内での緊急事態の発生を外部の人が確実に知って、救命作業等の適切な対処を行うことができる。
【００２２】
しかもこの実施例の閉所救急事態検出システム１によれば、存在センサは、赤外線を検出する赤外線センサ２であるため、投光器７が可視光でなく赤外線を投光するので、トイレ内の人Ｐがまぶしかったり落ち着かなかったりするのを回避することができる。
【００２３】
またこの実施例の閉所救急事態検出システム１によれば、動きセンサは、一般的で比較的安価に入手可能な焦電センサ３であるので、システムを安価に構成することができる。
【００２４】
しかもこの実施例の閉所救急事態検出システム１によれば、コントローラ６は、救急事態発生信号を、上記他のセキュリティシステム１３から、電話回線を介して電話機に出力するので、外部の人が、固定電話機や携帯電話機等によって、閉所内の人の救急事態の発生をいつでもどこにいても知ることができる。
【００２５】
以上、図示例に基づき説明したが、この発明は上述の例に限定されるものでなく、例えば、閉所は洗面所や浴室等でも良く、また赤外線センサ等の光センサは投光部を併せ持つもので、閉所内の反対側に配された反射鏡と対向して設けられても良い。さらに存在センサは、光センサでなく例えばトイレ内の床や便器Ｂの便座等に設けられた圧電マットでも良く、あるいはそれらを併用しても良い。
【００２６】
さらに、上記例ではコントローラ６は固定電話機や携帯電話機等によって閉所内の人の救急事態の発生を外部に知らせたが、スピーカ５によって直接、救急事態の発生を外部に知らせる警報音や音声を大きな音量で出力するようにしても良い。
【産業上の利用可能性】
【００２７】
かくしてこの発明の閉所救急事態検出システムによれば、病院や高齢者介護施設等のトイレや洗面所等の閉所内で人が脳出血や心疾患等になって救急事態が生じた場合に、その人が意識を失っていたり、身動きができず声も出せない状態になっていたりしても、救急状態の発生を検出して救急事態発生信号を出力するので、かかる閉所内での緊急事態の発生を外部の人が確実に知って、救命作業等の適切な対処を行うことができる。
【図面の簡単な説明】
【００２８】
【図１】この発明の閉所救急事態検出システムの一実施例の構成を示す構成図である。
【図２】上記実施例の閉所救急事態検出システムの各センサの配置状態を例示する説明図である。
【図３】上記実施例の閉所救急事態検出システムのコントローラの作動手順を示すフローチャートである。
【符号の説明】
【００２９】
１  閉所救急事態検出システム
２  赤外線センサ
３  焦電センサ
４  マイク
５  スピーカ
６  コントローラ
７  投光器
８  シンク
９  ケース
１０  送信機
１１  受信機
１２  無線電話機
１３  他のセキュリティシステム
【図１】
2006350495.tif 000003
【図２】
2006350495.tif 000004
【図３】
2006350495.tif 000005